(57)【要約】【課題】投影映像が悪化することを抑えつつ、レンズ又はその周辺の温度が上昇することを低減する。【解決手段】光源と、光源が照射する光を画像データに基づいて変調させる光変調素子と、光変調素子が変調させた光をレンズで投射させることにより、画像を投影する投射光学系と、投射光学系を収容する収容部内で前記レンズを変位させる変位部と、変位部が変位させた前記レンズの位置に応じて、光源の電力を制御する制御部と、を有する。【選択図】図１０
2017107155.tif 000002
【特許請求の範囲】
【請求項１】
光源と、
前記光源が照射する光を画像データに基づいて変調させる光変調素子と、
前記光変調素子が変調させた光をレンズで投射させることにより、画像を投影する投射光学系と、
前記投射光学系を収容する収容部内で前記レンズを変位させる変位部と、
前記変位部が変位させた前記レンズの位置に応じて、前記光源の電力を制御する制御部と、
を有することを特徴とする画像投射装置。
【請求項２】
光源と、
前記光源が照射する光に対し、通過させる光の波長範囲が異なる複数のフィルタ領域を具備するフィルタ部材と、
前記複数のフィルタ領域が順次に通過させる光を画像データに基づいて変調させる光変調素子と、
前記光変調素子が変調させた光をレンズで投射させることにより、画像を投影する投射光学系と、
前記投射光学系を収容する収容部内で前記レンズを変位させる変位部と、
前記変位部が変位させた前記レンズの位置に応じて、前記複数のフィルタ領域それぞれが通過させる光量が変化するように、前記光源の電力を制御する制御部と、
を有することを特徴とする画像投射装置。
【請求項３】
光源と、
前記光源が照射する光を画像データに基づいて変調させる光変調素子と、
前記光変調素子が変調させた光をレンズで投射させることにより、画像を投影する投射光学系と、
前記投射光学系を収容する収容部内で前記レンズを変位させる変位部と、
前記変位部が変位させた前記レンズの位置に応じて、前記レンズで投射させる単位時間当たりの光量を変化させる変調をするように、前記光変調素子を制御する制御部と、
を有することを特徴とする画像投射装置。
【請求項４】
光源と、
前記光源が照射する光を画像データに基づいて変調させる光変調素子と、
前記光変調素子が変調させた光をレンズで投射させることにより、画像を投影する投射光学系と、
前記投射光学系を収容する収容部内で前記レンズを変位させる変位部と、
前記収容部又は前記レンズの温度に対応する温度を検出する温度検出部と、
前記温度検出部が検出した温度に応じて、前記光源の電力を制御する制御部と、
を有することを特徴とする画像投射装置。
【請求項５】
光源と、
前記光源が照射する光に対し、通過させる光の波長範囲が異なる複数のフィルタ領域を具備するフィルタ部材と、
前記複数のフィルタ領域が順次に通過させる光を画像データに基づいて変調させる光変調素子と、
前記光変調素子が変調させた光をレンズで投射させることにより、画像を投影する投射光学系と、
前記投射光学系を収容する収容部内で前記レンズを変位させる変位部と、
前記収容部又は前記レンズの温度に対応する温度を検出する温度検出部と、
前記温度検出部が検出した温度に応じて、前記複数のフィルタ領域それぞれが通過させる光量が変化するように、前記光源の電力を制御する制御部と、
を有することを特徴とする画像投射装置。
【請求項６】
光源と、
前記光源が照射する光を画像データに基づいて変調させる光変調素子と、
前記光変調素子が変調させた光をレンズで投射させることにより、画像を投影する投射光学系と、
前記投射光学系を収容する収容部内で前記レンズを変位させる変位部と、
前記収容部又は前記レンズの温度に対応する温度を検出する温度検出部と、
前記温度検出部が検出した温度に応じて、前記レンズで投射させる単位時間当たりの光量を変化させる変調をするように、前記光変調素子を制御する制御部と、
を有することを特徴とする画像投射装置。
【請求項７】
光源と、
前記光源が照射する光を画像データに基づいて変調させる光変調素子と、
前記光変調素子が変調させた光をレンズで投射させることにより、画像を投影する投射光学系と、
前記投射光学系を収容する収容部内で前記レンズを変位させる変位部と、
前記収容部又は前記レンズの温度に対応する温度を検出する温度検出部と、
前記収容部の周囲に気流を生じさせることにより、前記収容部の周囲の温度を下げる気流生成部と、
前記温度検出部が検出した温度に応じて、前記気流生成部を制御する制御部と、
を有することを特徴とする画像投射装置。
【発明の詳細な説明】
【技術分野】
【０００１】
本発明は、画像投射装置に関する。
【背景技術】
【０００２】
色順次方式の画像投射装置は、回転するカラーホイールに光源ランプからの光を通過させ、時分割で光変調素子に投射して、各色の画像データに応じて光変調し、投影に必要な光を投射光学系に反射することによりカラー画像を生成している。画像投射装置の明るさは全画面白投影時の明るさとして定義され、全画面白投影時の明るさを一定にしながら、画像投射装置に設けられたフォーカス調整機構部によって投影像の解像感を調整することは公知である。
【０００３】
従来の画像投射装置は、投射レンズ内に入り込む塵埃からレンズを保護するために例えば密閉構造にされ、明るさを向上させるために高電力ランプが採用されている。このため、従来の画像投射装置は、フォーカスやズーム機構等のレンズ群が可動する構造である場合、レンズ群の一部が光源側に近づいたときに、レンズを保持している枠部品にも光が当たり、放熱できずに投射レンズ等が高温になってしまうという問題があった。
【０００４】
例えば、特許文献１には、収差補正レンズを冷却するために、鏡筒の内部に空気を導入する導入孔と、収差補正レンズを保持する保持枠と、導入孔を介して導入された空気を収差補正レンズに案内するフィンとを設けたプロジェクタが開示されている。
【発明の概要】
【発明が解決しようとする課題】
【０００５】
しかしながら、投射レンズへ空気を流すと、投射レンズに外部からの塵埃がたまり、投射レンズが汚れて映像を悪化させる可能性や、塵埃による透過率の低下から投射レンズの温度上昇による画像変化が生じる可能性があった。
【０００６】
本発明は、上記に鑑みてなされたものであって、投影映像が悪化することを抑えつつ、レンズ又はその周辺の温度が上昇することを低減することができる画像投射装置を提供することを目的とする。
【課題を解決するための手段】
【０００７】
上述した課題を解決し、目的を達成するために、本発明は、光源と、前記光源が照射する光を画像データに基づいて変調させる光変調素子と、前記光変調素子が変調させた光をレンズで投射させることにより、画像を投影する投射光学系と、前記投射光学系を収容する収容部内で前記レンズを変位させる変位部と、前記変位部が変位させた前記レンズの位置に応じて、前記光源の電力を制御する制御部と、を有する。
【発明の効果】
【０００８】
本発明によれば、投影映像が悪化することを抑えつつ、レンズ又はその周辺の温度が上昇することを低減することができるという効果を奏する。
【図面の簡単な説明】
【０００９】
【図１】図１は、実施形態にかかる画像投射装置の概要を示す図である。
【図２】図２は、光変調素子及び投射光学系とその周辺を示す画像投射装置の断面図である。
【図３】図３は、画像投射装置におけるピントの調整量を示す図である。
【図４】図４は、投射光学系における光線の位置の変化を示す図である。
【図５】図５は、フォーカス調整群の変位に応じて生じる光線ケラレ量を示す図である。
【図６】図６は、画像投射装置における位置検出センサ及び温度センサの位置を示す図である。
【図７】図７は、フォーカスレバーと位置検出センサとの関係を示す図である。
【図８】図８は、温度センサの配置を示す図である。
【図９】図９は、温度センサが検出する温度に基づく画像投射装置の動作を示すグラフである。
【図１０】図１０は、画像投射装置が有する機能の概略を示すブロック図である。
【図１１】図１１は、画像投射装置の動作例を示す図である。
【図１２】図１２は、カラーホイールのフィルタ領域それぞれに光を照射するランプ光源を駆動する交流矩形波の電流振幅をフィルタ領域ごとにそれぞれ示す図である。
【図１３】図１３は、画像投射装置の第３動作例における入力信号レベルと出力信号レベルの関係を示すグラフである。
【図１４】図１４は、画像投射装置の変形例において、主制御部が行う制御を示すグラフである。
【図１５】図１５は、画像投射装置の変形例の概要を示す図である。
【発明を実施するための形態】
【００１０】
以下に添付図面を参照して、画像投射装置の実施形態について説明する。図１は、実施形態にかかる画像投射装置１０の概要を示す図である。画像投射装置１０は、例えば色順次方式のプロジェクタであり、ランプ光源（光源）１２が防爆ガラス１４に向けて光を照射し、防爆ガラス１４を通過した光をカラーホイール１６によって各色に時分割する。
【００１１】
カラーホイール１６は、ランプ光源１２が照射する光に対し、通過させる光の波長範囲が異なる複数のフィルタ領域（セグメント）３０を具備する円形のフィルタ部材である。例えば、カラーホイール１６は、シアン、白、赤、黄、緑、青の光をそれぞれ通過させる６つのフィルタ領域３０に分割されている。カラーホイール１６は、一定の速度で回転する場合、単位時間にシアン、白、赤、黄、緑、青の光を予め定められた比率で通過させる。
【００１２】
カラーホイール１６を通過した光は、ライトトンネル１８及びリレーレンズ２０を通過し、シリンダミラー２４及び凹面ミラー２６に反射されて、光変調素子２２に照射される。光変調素子２２は、照射された光を入力された信号データ（画像データ）に基づいて変調させて、投射光学系２８に向けて反射させる。投射光学系２８は、収容部３２内に収容されており、光変調素子２２が変調させた光をレンズで投射させることにより、画像を投影する。つまり、画像投射装置１０は、投射光学系２８によって光による映像を投射し、時分割された各色の映像を重畳させて、１つのカラー画像を生成する。
【００１３】
図２は、光変調素子２２及び投射光学系２８とその周辺を示す画像投射装置１０の断面図である。光変調素子２２は、例えばＤＭＤ（デジタル・マイクロミラー・デバイス）であり、１辺１０μｍ前後のマイクロミラーが５０万〜１０００万個程度配列されている。各マイクロミラーは、±１２°に傾斜可能にされており、照射された光を投射光学系２８に向かう光（ＯＮ光）と、ＯＦＦ光受け３６に向かう光（ＯＦＦ光）とに振り分ける。ＯＦＦ光受け３６は、画像投射装置１０の内部でＯＦＦ光を吸収する。
【００１４】
画像投射装置１０は、全白画面の映像を投射するときに、投射光学系２８に入射される光量が最も多くなり、投射光学系２８において光が熱に変化するなどの負荷が大きくなる。また、画像投射装置１０は、全黒画面の映像を投射するときに、光変調素子２２のマイクロミラーの裏に入り込む光が多くなり、光変調素子２２において光が熱に変化するなどの負荷が大きくなる。また、画像投射装置１０は、投射光学系２８内のレンズを変位させることにより、フォーカスやズームを調整可能にされている。
【００１５】
なお、画像投射装置１０は、色順次方式である場合を例に挙げたが、液晶等を用いた空間分割方式であってもよい。光変調素子が液晶パネルである場合、投射光学系に向かわない光は偏向板によって吸収されるため、色順次方式と同様に、全黒画面のときに光変調素子において負荷が大きくなる。
【００１６】
次に、画像投射装置１０におけるピントの調整及びレンズの変位について説明する。図３は、画像投射装置１０におけるピントの調整量を示す図である。画像投射装置１０は、広角で大画面投影構造をもった投射光学系２８を備えており、投影させる映像のサイズに応じて、画面上側のピント調整量ａと、画面下側のピント調整量ｂとが大きく変わる。ライトバルブ４０から共軸系４２を介して共軸系４２の光軸ｄより下方に配置された凹面ミラー２６に照射される光（中間像ｅ）は、上方のスクリーンｃに投影されるが、画像投射装置１０からスクリーンｃまでの光の到達距離が画面上側と画面下側とで異なるためである。
【００１７】
画像投射装置１０は、投影位置と投射距離が至近な短焦点プロジェクタである場合、画面上部と画面下部の距離が投影像の拡大又は縮小により、極端にピント位置が変わってしまう。このため、画像投射装置１０は、投影像全域で解像感を合わせるためにフォーカス調整機構（後述するフォーカスレバー３４を備える変位部）を備える構造となっている。
【００１８】
図４は、投射光学系２８における光線の位置の変化を示す図である。投射光学系２８には、フォーカス調整群４４が設けられている。フォーカス調整群４４は、複数のレンズを備え、ユーザがフォーカスレバー３４を動かす（回転させる）ことによって上下方向に変位する。フォーカス調整群４４が上下方向に変位すると、投射光学系２８による映像のピントが調整される。
【００１９】
図５は、フォーカス調整群４４の変位に応じて生じる光線ケラレ量を示す図である。フォーカス調整群４４は、レンズ４６を含む。図５（ａ）には、ケラレが生じていないフォーカス調整群４４の周辺が示されている。画像投射装置１０がスクリーンに投影する映像のフォーカスを合わせるために、ユーザがフォーカスレバー３４を用いてフォーカス調整群４４を光変調素子２２側（光軸方向下側）へ下げると、図５（ｂ）に示すようにケラレが生じる場合がある。
【００２０】
フォーカス調整群４４が光変調素子２２側に変位する場合や、光線が広がっている側に変位する場合には、レンズ４６の広域にランプ光源１２からの光線が当たることになり、レンズ４６を保持している収容部３２の保持部材（たとえば金属製、耐熱性樹脂部材）に当たる光量を増やすことになる。
【００２１】
投射光学系２８は高密閉化され、ランプ光源１２は高輝度化（高ワット化）されているため、レンズ４６などのレンズや、レンズの保持部材に光が当たり続けると、レンズや保持部材に光によるダメージが蓄積され、投射光学系２８の性能を悪化させることがある。そこで、画像投射装置１０は、例えばフォーカスレバー３４の位置を検出し、フォーカス調整群４４の変位に応じて投射光学系２８に入射される光を調整するようにされている。また、画像投射装置１０は、投射光学系２８等の温度に対応する温度を検出し、検出した温度に応じて投射光学系２８に入射される光を調整するようにされている。つまり、画像投射装置１０は、投射光学系２８及びその周辺の温度上昇を低減することができるようにされている。
【００２２】
図６は、画像投射装置１０における位置検出センサ（位置検出部）５４及び温度センサ（温度検出部）５６の位置を示す図である。上述したように、画像投射装置１０は、フォーカス調整群４４を変位させるフォーカス調整機構（変位部）を備えている。例えば、フォーカス調整機構は、フォーカスレバー３４、アイドラギア５０、及び投射光学系２８のフォーカスギア５２等を有し、ユーザがフォーカスレバー３４を回転させることにより、フォーカス調整群４４を変位させる。
【００２３】
フォーカスレバー３４は、下部にギアを備えている。ユーザがフォーカスレバー３４を回転させると、フォーカスレバー３４の回転に応じてアイドラギア５０が回転する。アイドラギア５０は、フォーカスレバー３４の回転をフォーカスギア５２に伝え、フォーカスギア５２を回転させることによってフォーカス調整群４４を変位させる。
【００２４】
位置検出センサ５４は、例えばアイドラギア５０の近傍に配置され、図７にも示すように、アイドラギア５０の回転（回転方向の変位）を検出することにより、フォーカスレバー３４の変位（即ちフォーカス調整群４４の変位）を検出する。アイドラギア５０は、位置検出センサ５４が回転（回転方向の変位）を検出しやすいように、印や目盛等が設けられてもよい。また、位置検出センサ５４は、フォーカスレバー３４の動きを読取ってもよいし、フォーカスギア５２の動きを読取ってもよい。また、位置検出センサ５４は、ポテンショメータなどによって代替えされてもよい。
【００２５】
温度センサ５６は、例えば収容部３２の外側に設けられ、収容部３２の外側又はレンズ４６等の温度に対応する温度を検出する。例えば、温度センサ５６は、図８にも示すように、光から変化した熱が集中しやすいフォーカス調整群４４の近傍に配置されている。
【００２６】
図９は、温度センサ５６が検出する温度に基づく画像投射装置１０の動作を示すグラフである。画像投射装置１０は、ランプ光源１２が光を照射し始めて、温度センサ５６が検出した温度が例えば予め定められた閾値以上になった場合に、投射光学系２８に入射される光を制御する。つまり、画像投射装置１０は、温度センサ５６が検出する温度が閾値未満であれば、投射光学系２８の温度が良好（良好範囲）であると判定し、温度センサ５６が検出する温度が閾値以上であれば、投射光学系２８に入射される光を制御する必要がある制御対象範囲であると判定する。
【００２７】
次に、画像投射装置１０が有する機能についてさらに詳述する。図１０は、画像投射装置１０が有する機能の概略を示すブロック図である。主制御部（制御部）６０は、カラーホイール１６、ランプ光源１２及び光変調素子２２の動作を同期させることにより、時分割で各色の映像を生成する。
【００２８】
ランプ制御部６２は、主制御部６０の制御に応じて動作し、交流矩形波によってランプ光源１２を駆動し、ランプ光源１２の出力電力を制御する。ランプ制御部６２は、複数のパターンの交流矩形波を記憶しており、記憶している交流矩形波のいずれかを選択してランプ光源１２を駆動するようにされている。
【００２９】
光変調素子制御部６４は、主制御部６０の制御に応じて動作し、光変調素子２２を制御する。主制御部６０は、入力映像の信号レベルを出力信号レベルに変換し、光変調素子２２のマイクロミラーのＯＮ／ＯＦＦを決定している。なお、ランプ光源１２を駆動する交流矩形波を決定すること、及び光変調素子２２の入力−出力レベル変換特性を決定することを映像モードと呼ぶことがある。
【００３０】
また、主制御部６０は、温度センサ５６が検出した温度に応じて、ランプ制御部６２及び光変調素子制御部６４を制御する。また、主制御部６０は、位置検出センサ５４が検出した結果に応じても、ランプ制御部６２及び光変調素子制御部６４を制御する。
【００３１】
次に、画像投射装置１０の第１動作例について説明する。主制御部６０は、位置検出センサ５４が検出したフォーカスレバー３４の変位（位置信号）が所定の閾値以上である場合、投射光学系２８等の劣化を防止するために、ランプ光源１２の電力を低下させる。主制御部６０は、ランプ光源１２の電力が低下した後に、位置検出センサ５４が検出した位置信号が閾値未満になった場合、例えばランプ光源１２の電力を元の電力に戻す。
【００３２】
なお、主制御部６０は、ランプ光源１２の電力を低下又は上昇させる制御を、位置検出センサ５４が検出した位置信号が閾値上となった時点で行ってもよいし、位置信号が閾値を超えた状態が所定時間継続した場合に行ってもよい。また、主制御部６０は、ランプ光源１２のちらつきを抑えるために、ランプ光源１２の電力を低下又は上昇させる制御を一気に行わず、徐々に低下又は上昇させる制御を行うことが好ましい。
【００３３】
ランプ光源１２が点灯開始した直後には、投射光学系２８の各光学部品の温度が上がりきるまでに時間がかかる。よって、主制御部６０は、ランプ光源１２の電力の制御を点灯開始から所定時間経過した後に行ってもよい。これにより、ランプ光源１２は点灯開始直後から点灯が安定するまで元々暗いため、ランプ光源１２の電力を制御することによってさらに暗くなることを防ぐことができる。また、上述した閾値は、値が固定であってもよいし、位置検出センサ５４の検出結果、温度センサ５６の検出結果などに応じて変更されてもよい。
【００３４】
図１１は、画像投射装置１０の動作例を示す図である。光変調素子２２はデフォルトの位置で動作（通常駆動）し、位置検出センサ５４も検出結果が閾値を超えていない状態で動作する（Ｓ１）。映像信号の信号レベルを検出し（Ｓ２）、映像信号の信号レベルが一定（所定値）以上であるか否かを判定して（Ｓ３）、映像信号が一定（所定値）以下であれば通常駆動を継続する（Ｓ４）。ランプ光源１２の電力が低下して（Ｓ５）、再度映像信号の信号レベルを検出し（Ｓ６）、映像信号の信号レベルが一定（所定値）以下であれば（Ｓ７）、低下したランプ光源１２の電力を継続させる駆動を行い（Ｓ８）、信号レベルが一定（所定値）を越えた場合は、ランプ光源１２の電力を上昇させる（Ｓ９）。
【００３５】
次に、画像投射装置１０の第２動作例について説明する。主制御部６０は、位置検出センサ５４が検出した信号レベルが閾値以上である場合、投射光学系２８の劣化を防止するために、ランプ制御部６２に対してランプ光源１２を駆動する交流矩形波を変更させる。この変更を映像モードの変更ともいう。ここでは、交流矩形波を変更した後は、変更前と比較すると、カラーホイール１６を通過する光のエネルギーが低くなるように制御されている。
【００３６】
また、主制御部６０は、位置検出センサ５４が検出した信号レベルが閾値未満だった場合は、ランプ光源１２を駆動する交流矩形波を変更させずそのまま継続させる。
【００３７】
図１２は、カラーホイール１６のフィルタ領域３０それぞれに光を照射するランプ光源１２を駆動する交流矩形波の電流振幅をフィルタ領域３０ごとにそれぞれ示す図である。画像投射装置１０は、ランプ光源１２を駆動する交流矩形波の振幅がカラーホイール１６の各フィルタ領域３０に対してそれぞれ設定されている。画像投射装置１０は、フィルタ領域３０ごとに電流値（振幅）が設定されることにより、単色の明るさ比や混色の色合いのバランスが調整されている。
【００３８】
画像投射装置１０は、投射光学系２８及びその周辺の温度が上昇してくると、カラーホイール１６を通過する光のエネルギーを低下させる交流矩形波をランプ制御部６２が選択することにより、光変調素子２２及び投射光学系２８等の劣化を防止する。
【００３９】
例えば、白の光を通過させるフィルタ領域３０は、Ｒ，Ｇ，Ｂの光の波長範囲の全ての光を通過させる。赤の光を通過させるフィルタ領域３０は、Ｒの波長範囲の光を通過させても、Ｇ，Ｂの波長範囲の光を通過させない。そこで、ランプ制御部６２は、例えば白の光を通過させるフィルタ領域３０をランプ光源１２が照射するときにランプ光源１２を駆動する電流振幅を下げ、赤の光を通過させるフィルタ領域３０をランプ光源１２が照射するときにランプ光源１２を駆動する電流振幅を上げる。よって、画像投射装置１０は、カラーホイール１６を通過する光エネルギーを低下させることができる。赤の光を通過させるフィルタ領域３０をランプ光源１２が照射するときにランプ光源１２を駆動する電流振幅を上げるのは、映像が暗くなってしまうことを補うためである。
【００４０】
このように、画像投射装置１０は、白、赤、緑、青などのフィルタ領域３０を照射するタイミングで電流振幅（図１２の縦軸）を下げて、光エネルギーが相対的に低い別の色のフィルタ領域３０を照射するタイミングで電流振幅を上げるように映像モードを変更する。よって、画像投射装置１０は、映像品質を極端に悪化させることなく、紫外線に比較的弱い部材に対しては到達する光の紫外線成分を下げたり、熱に弱い部材に対しては到達する赤外線域を下げることも可能である。つまり、主制御部６０は、フォーカス調整群４４の位置に応じて、複数のフィルタ領域３０それぞれが通過させる光量が変化するように、ランプ光源１２の電力を制御する。
【００４１】
次に、画像投射装置１０の第３動作例について説明する。主制御部６０は、入力信号レベルを検出し、予め定められた閾値以上であった場合、投射光学系２８の劣化を防止するために、光変調素子２２の入力信号レベル−出力信号レベルの変換係数を変更する。また、主制御部６０は、入力信号レベルを検出し、予め定められた閾値未満であった場合、光変調素子２２の劣化を防止するために、光変調素子２２の入力信号レベル−出力信号レベルの変換係数を変更する。
【００４２】
図１３は、画像投射装置１０の第３動作例における入力信号レベルと出力信号レベルの関係を示すグラフである。主制御部６０は、入力映像の信号レベルを出力信号レベルに変換し、光変調素子２２のマイクロミラーのＯＮ／ＯＦＦを決定している。
【００４３】
入力信号レベル−出力信号レベルの変換は、一般的には曲線状のものが用いられるが、簡易化のため直線状の変換Ａを基準に説明する。主制御部６０は、変換Ｂのように全体的に出力信号レベルを下げることにより、投射光学系２８に向かう光を減少させることができる。ただし、変換Ｂでは階調性が悪化してしまうため、変換Ｃのように一部のみ階調を無くし、最大出力信号レベルを低下させてもよい。また変換Ｄのように出力信号レベルを底上げして、黒を浮かせることにより、コントラストは低下するが、光変調素子２２の温度を低下させ、劣化を防止してもよい。
【００４４】
つまり、主制御部６０は、フォーカス調整群４４の位置に応じて、投射光学系２８で投射させる単位時間当たりの光量を変化させる変調をするように、光変調素子２２を制御する。また、主制御部６０は、位置検出センサ５４及び温度センサ５６の少なくともいずれかが検出した結果に応じて制御を行う場合を例に説明したが、これに限定されることなく、フォーカス調整群４４の変位に応じて制御を行うようにされてもよい。
【００４５】
次に、画像投射装置１０の変形例について説明する。画像投射装置１０の変形例は、温度センサ５６が検出する温度に応じて、収容部３２の外側の温度を低下させる制御を例えば主制御部６０が行う。
【００４６】
図１４は、画像投射装置１０の変形例において、主制御部６０が行う制御を示すグラフである。図１５は、画像投射装置１０の変形例の概要を示す図である。画像投射装置１０の変形例は、収容部３２の周囲に気流を生じさせることによって収容部３２の周囲の温度を下げる気流生成部７０を有する。気流生成部７０は、収容部３２を囲むように収容し、例えば吸気ファン７２及び排気ファン７４を備えている。なお、気流生成部７０が生じさせる気流は、収容部３２の内部へは流れ込まないようにされている。
【００４７】
上述したように、温度センサ５６が当該収容部３２の外側又はレンズ４６等の温度に対応する温度を検出するので、主制御部６０は、温度センサ５６が検出した温度が例えば予め定められた閾値を超えた場合に、吸気ファン７２及び排気ファン７４を動作させる。つまり、図１４に示すように、主制御部６０は、温度センサ５６が検出した温度が閾値を超えた場合（制御対象範囲）には吸気ファン７２及び排気ファン７４をＯＮにして収容部３２の外側の温度を低下させる。また、主制御部６０は、温度センサ５６が検出した温度が閾値以下の場合（制御不要範囲）には吸気ファン７２及び排気ファン７４をＯＦＦにする。
【００４８】
また、主制御部６０が行う制御には、吸気ファン７２及び排気ファン７４をＯＮにする第１閾値と、吸気ファン７２及び排気ファン７４をＯＦＦにする第２閾値（第１閾値よりも低い温度）とが設けられてもよい。この場合、主制御部６０は、温度センサ５６が検出した温度が第１閾値を超えた場合には吸気ファン７２及び排気ファン７４をＯＮにして収容部３２の外側の温度を低下させる。また、主制御部６０は、温度センサ５６が検出した温度が第２閾値以下の場合には吸気ファン７２及び排気ファン７４をＯＦＦにする。さらに、主制御部６０は、温度センサ５６が検出した温度に応じて、吸気ファン７２及び排気ファン７４の回転数を制御してもよい。
【符号の説明】
【００４９】
１０  画像投射装置
１２  ランプ光源
１４  防爆ガラス
１６  カラーホイール
１８  ライトトンネル
２０  リレーレンズ
２２  光変調素子
２４  シリンダミラー
２６  凹面ミラー
２８  投射光学系
３０  フィルタ領域
３２  収容部
３４  フォーカスレバー
３６  ＯＦＦ光受け
４４  フォーカス調整群
４６  レンズ
５０  アイドラギア
５２  フォーカスギア
５４  位置検出センサ
５６  温度センサ
６０  主制御部
６２  ランプ制御部
６４  光変調素子制御部
７０  気流生成部
７２  吸気ファン
７４  排気ファン
【先行技術文献】
【特許文献】
【００５０】
【特許文献１】特開２０１０−２４３５４２号公報
【図１】
2017107155.tif 000003
【図２】
2017107155.tif 000004
【図３】
2017107155.tif 000005
【図４】
2017107155.tif 000006
【図５】
2017107155.tif 000007
【図６】
2017107155.tif 000008
【図７】
2017107155.tif 000009
【図８】
2017107155.tif 000010
【図９】
2017107155.tif 000011
【図１０】
2017107155.tif 000012
【図１１】
2017107155.tif 000013
【図１２】
2017107155.tif 000014
【図１３】
2017107155.tif 000015
【図１４】
2017107155.tif 000016
【図１５】
2017107155.tif 000017